(57)【特許請求の範囲】
【請求項１】
車両脱着式のコンテナ本体の天面に形成された上方開口部を開閉するコンテナ扉が、該コンテナ本体に設けられている資源ごみ収集用コンテナであって、
該コンテナ本体の上部であって該コンテナ扉の内側には、該コンテナ本体の上方開口部を開閉する飛散防止扉枠が上下方向に回動自在に配設され、
該飛散防止扉枠には、左右方向に開閉自在なスライド扉が配設され、
該飛散防止扉枠および該スライド扉の少なくとも一方には、前記コンテナ扉が開放された状態、かつ該飛散防止扉枠および該スライド扉が閉鎖した通常設置状態で外部から該コンテナ本体内を視認可能とする透孔が多数設けられており、
前記通常設置状態で資源ごみを投入する際に、前記飛散防止扉枠および前記スライド扉のうちいずれかを開放して該資源ごみをコンテナ本体内に投入するようにし、
前記コンテナ本体を車両に装着して移送するときに前記コンテナ扉を閉鎖するようにした
ことを特徴とする資源ごみ収集用コンテナ。
【請求項２】
前記コンテナ本体の側面であって前記コンテナ扉の開放側に配された側面には、該コンテナ本体の前記上方開口部と連続する側方開口部が形成されており、
前記飛散防止扉枠は、前記側方開口部まで延出され、前記スライド扉が少なくとも該側方開口部に対応する位置に配置されて該側方開口部を開閉する
請求項１に記載の資源ごみ収集用コンテナ。
【請求項３】
請求項１又は請求項２に記載の資源ごみ収集用コンテナを備える資源ごみ収集用コンテナ管理設備であって、
前記資源ごみ収集用コンテナの内部に配設されている第１消火装置と、
該資源ごみ収集用コンテナの外部に配設されている第２消火装置と、を備え、
該第２消火装置から排出される消火剤が、該資源ごみ収集用コンテナの前記飛散防止扉枠および前記スライド扉の少なくとも一方に設けられている前記透孔を通して該資源ごみ収集用コンテナ内部に達する
ことを特徴とする資源ごみ収集用コンテナ管理設備。
【発明の詳細な説明】
【技術分野】
【０００１】
本発明は、資源ごみを収集するためのコンテナおよびその管理設備に関するものである。
【背景技術】
【０００２】
従来、工事現場等において発生する廃棄物を収集するために、車両脱着式のコンテナが用いられている。該コンテナは所定の場所に置かれ、収集された廃棄物が一定量になるとコンテナ脱着装置付きの車両によって処理施設に移送される。
このようなコンテナは工事現場に限らず、例えば一般家庭から出される廃棄物の収集にも用いられる。この場合、雨水の浸入や廃棄物の飛散を防ぐために蓋様のものが取り付けられることがある。
【０００３】
例えば、特許文献１には、コンテナ本体の上面および側面を開閉可能に覆う、Ｌ字形状のウイングを有する脱着式コンテナが開示されている。また、特許文献２には片開きで開閉する天蓋を設けた防臭天蓋式コンテナが開示されている。
【先行技術文献】
【特許文献】
【０００４】
【特許文献１】特開２００２−３４７８８３号公報
【特許文献２】特開２００３−３４１７８５号公報
【発明の概要】
【発明が解決しようとする課題】
【０００５】
しかしながら、上記のような脱着式コンテナを一般家庭から出される資源ごみの収集用として適用する場合、前記特許文献１に開示されている構成は、次のような問題がある。すなわち、上記特許文献１のコンテナは、ウイングの開放時には側面がほぼ完全に開放された状態となり、風によってコンテナ内部の資源ごみ、特に紙類が吹き飛ばされやすい。また、上記特許文献２に開示されている脱臭天蓋式コンテナも、上部のほぼ全面が開口しており、風によって容易に内部の資源ごみが吹き飛ばされる。更に、一般家庭から出される資源ごみとしての紙類は種々の要因によって容易に燃え、火災の元となる。しかし上記特許文献１、特許文献２のいずれにも、コンテナ内で火災が発生した場合、これを消火する設備に関する開示がない。
【０００６】
そこで、本発明は、コンテナ内部の資源ごみの飛散を好適に防止でき、さらに資源ごみを持ち込む一般の人が資源ごみをコンテナ内に容易に投入できる資源ごみ収集用コンテナ、およびコンテナ内で火災が発生しても好適に消火が行なえる資源ごみ収集用コンテナ管理設備を提供することを目的とする。
【課題を解決するための手段】
【０００７】
本発明は、車両脱着式のコンテナ本体の天面に形成された上方開口部を開閉するコンテナ扉が、該コンテナ本体に設けられている資源ごみ収集用コンテナであって、該コンテナ本体の上部であって該コンテナ扉の内側には、該コンテナ本体の上方開口部を開閉する飛散防止扉枠が上下方向に回動自在に配設され、該飛散防止扉枠には、左右方向に開閉自在なスライド扉が配設され、該飛散防止扉枠および該スライド扉の少なくとも一方には、前記コンテナ扉が開放された状態、かつ該飛散防止扉枠および該スライド扉が閉鎖した通常設置状態で外部から該コンテナ本体内を視認可能とする透孔が多数設けられており、前記通常設置状態で資源ごみを投入する際に、前記飛散防止扉枠および前記スライド扉のうちいずれかを開放して該資源ごみをコンテナ本体内に投入するようにし、前記コンテナ本体を車両に装着して移送するときに前記コンテナ扉を閉鎖するようにしたことを特徴とする資源ごみ収集用コンテナである。
【０００８】
このように本発明は、コンテナ扉の内側に飛散防止扉枠を設け、該飛散防止扉枠にスライド扉を配設し、該飛散防止扉枠および該スライド扉の少なくとも一方に透孔を多数設けたことを特徴とする。このようにすることで、第１に、通常設置状態にあって、前記飛散防止扉枠に配設されたスライド扉によって前記コンテナ本体の上方開口部が閉鎖されるため、コンテナ内の資源ごみが風によって外部へ飛散することが防止される。また第２に、資源ごみの飛散を防止しつつ、資源ごみを投入する人や資源ごみの回収者が該透孔を通して容易にコンテナ内部の状態を知ることができるため、資源ごみを投入する人や資源ごみの回収者は特別な操作を行なうことなく該資源ごみ収集用コンテナの移送時期を一見して察知することが可能となる。更に第３に、前記スライド扉は上下方向ではなく左右方向に開閉自在であるため、資源ごみを投入する人が該スライド扉を持ち上げることなく、横に滑らせるだけで資源ごみの投入を行なうことが可能となる。したがって、資源ごみを持ち込む一般の人の作業負担が大幅に軽減される。更に第４に、仮にコンテナ内の資源ごみが燃えて火災が発生し、コンテナの外から消火活動を行った場合にも、消火剤が透孔を介してコンテナ内に容易に到達するため、消火活動に支障を来さない。
【０００９】
また、前記コンテナ本体の側面であって前記コンテナ扉の開放側に配された側面には、該コンテナ本体の前記上方開口部と連続する側方開口部が形成されており、前記飛散防止扉枠は、前記側方開口部まで延出され、前記スライド扉が少なくとも該側方開口部に対応する位置に配置されて該側方開口部を開閉する構成であってもよい。
【００１０】
このように、前記スライド扉がコンテナ本体の側方開口部に配置され、資源ごみを投入する人が側方に向けて開口する該側方開口部を介して投入可能とすることにより、非力や小柄な人であっても容易に資源ごみをコンテナ内に投入することが可能となる。
【００１１】
また本発明は、上記資源ごみ収集用コンテナを備える資源ごみ収集用コンテナ管理設備であって、前記資源ごみ収集用コンテナの内部に配設されている第１消火装置と、該資源ごみ収集用コンテナの外部に配設されている第２消火装置と、を備え、該第２消火装置から排出される消火剤が、該資源ごみ収集用コンテナの前記飛散防止扉枠および前記スライド扉の少なくとも一方に設けられている前記透孔を通して該資源ごみ収集用コンテナ内部に達することを特徴とする資源ごみ収集用コンテナ管理設備を提供するものである。
【００１２】
上記設備にあっては、前記コンテナ内部で火災が発生した場合、コンテナ内部に配設された第１消火装置だけでなく、コンテナ外部に配設された第２消火装置から排出される消火剤が、前記飛散防止扉枠および前記スライド扉の少なくとも一方に設けられている透孔を通してコンテナ内部に達するため、前記コンテナ内部の資源ごみの飛散防止効果を損なうことなく、より効果的な消火活動が行なわれる。
【発明の効果】
【００１３】
本発明の資源ごみ収集用コンテナは、コンテナ内部の資源ごみが風によって飛散することを防止でき、資源ごみを投入する人や資源ごみの回収者が扉を開けることなく内部の様子を確認でき、更には資源ごみの投入が容易で、かつ消火活動が円滑に行える。また本発明の資源ごみ収集用コンテナ管理設備は、コンテナ内部で火災が発生した際に、迅速かつ効果的に消火活動を行なうことができる。
【図面の簡単な説明】
【００１４】
【図１】実施例１にかかる資源ごみ収集用コンテナであって、（ａ）は正面図、（ｂ）は（ａ）のＡ−Ａ断面図。
【図２】飛散防止扉枠およびスライド扉を示す分解斜視図。
【図３】実施例２にかかる資源ごみ収集用コンテナ管理設備であって、（ａ）は正面図、（ｂ）は側面図。
【発明を実施するための形態】
【００１５】
以下、本発明の資源ごみ収集用コンテナ（以下、適宜コンテナという。）を具体化した実施例を詳細に説明する。ただし、本発明は、下記に示す実施例に限定されることはなく、適宜設計変更が可能である。
なお、本発明における資源ごみとは、一般家庭において発生するごみのうち、再資源化が可能なごみを指す。該資源ごみには、アルミ缶やスチール缶、ＰＥＴボトル、瓶、紙類等が含まれる。本発明のコンテナは、特に可燃性である紙類を収集することを主目的としているが、当然、他の資源ごみを収集するものであってもよい。
【００１６】
（実施例１）
図１ａ，ｂに示すように、資源ごみ収集用コンテナ１は、車両脱着式のコンテナ本体２と、該コンテナ本体２の天面に形成された上方開口部２０を開閉するコンテナ扉３とを備えている。具体的に該コンテナ扉３は、該コンテナ本体２の長手方向に沿って天面の約半分を覆う寸法に設定され、該コンテナ本体２の長手方向に沿って設けられた回動軸を中心にして上下に回動可能とされている。
【００１７】
更に、前記コンテナ本体２の側面であって前記コンテナ扉３の開放側に配された側面には、ヒンジによって開閉可能とされる側面開放扉２ａが設けられている。そして、該側面開放扉２ａが開放されると、前記上方開口部２０に連続する側方開口部２１が開放状態となる。
【００１８】
また、前記コンテナ本体２のほぼ中央には、種類の異なる資源ごみ（例えば新聞と雑誌）を分別するために、隔壁（フラップ）７が鉛直方向に沿って設けられており、該隔壁７によって該コンテナ本体２内が２つに区切られている。
【００１９】
さらに、前記コンテナ本体２の上部であって前記コンテナ扉３の内側には、該コンテナ扉３と同じ方向に開閉する飛散防止扉枠４が回動自在に配設されている。具体的には、図１，２に示すように、該飛散防止扉枠４は、隔壁７によって仕切られた区画ごとに設けられており、それぞれヒンジ４ａを介してコンテナ本体２に接続されている。そして、前記コンテナ扉３の開放によって形成された水平方向の上方開口部２０から前記側面開放扉２ａの開放によって形成された鉛直方向の側方開口部２１へ向かって下方に湾曲しながら延出されることにより、該上方開口部２０と該側方開口部２１とによって形成されるＬ字状の開口を閉鎖することができる。また、該飛散防止扉枠４は、コンテナ本体２に取り付けられたダンパー８が接続されており、該ダンパー８の伸縮機能によって閉鎖状態（図１ｂ実線）、もしくは開放状態（図１ｂ二点鎖線）に支持される。
【００２０】
さらに、該飛散防止扉枠４には、スライド扉５が左右方向に開閉自在に配設されている。さらに詳述すると、図１，２に示すように、該スライド扉５，５は、前記上方開口部２０の一部と前記側方開口部２１とに対応する位置に左右一対で配置され、特に側方開口部２１に対応する位置においては、該飛散防止扉枠４の形状に沿って湾曲状に形成されている。また、該スライド扉５は、該飛散防止扉枠４の裏面に設けられた溝形状のガイド手段４１によって、左右方向にスライド自在に支持されており、互いに引き違いに配置されている。さらに、該スライド扉５には透孔６が多数設けられ、該透孔６を通して前記コンテナ１の内部を見ることが可能とされている。また、コンテナ１において面積の大きいスライド扉５には、開閉を容易にするために把手９が取り付けられている。
【００２１】
上記構成のコンテナ１は、通常設置状態においてコンテナ扉３は開放され、飛散防止扉枠４およびスライド扉５は閉鎖されている。そして、資源ごみを投入する人は、スライド扉５を直接、もしくは把手９を使うことで左右方向に滑らせて側方開口部２１を開放し、そこから資源ごみを投入する。
【００２２】
このように、通常設置状態においてコンテナ扉３が開放された状態であっても、飛散防止扉枠４およびスライド扉５が閉鎖状態とされているため、コンテナ１の内部の資源ごみが飛散しやすい紙類であっても、風によって該紙類が吹き飛ばされるようなことが防止される。また、前記飛散防止扉枠４にスライド扉５を設けることによって、該飛散防止扉枠４を上方へ持ち上げることなく、スライド扉５を左右方向へ滑らせて開口するだけで資源ごみをコンテナ１の内部に投入することができる。更に、前記スライド扉５に透孔６が多数設けられているために、該スライド扉５をスライドさせたり、前記飛散防止扉枠４を持ち上げて開口することなく、コンテナ１の内部の状態を目視することが可能となる。これによって、資源ごみを投入する人や資源ごみの回収者は、前記飛散防止扉枠４を持ち上げて開口することなく、コンテナ１の内部のごみの収集状況を確認でき、該コンテナ１の移送時期を一見して察知することが可能となる。また、仮にコンテナ１内の資源ごみが燃えて火災が発生してコンテナ１の外から消火活動を行った場合にも、消火剤がスライド扉５および飛散防止扉枠４の透孔６を介してコンテナ１内に到達するため、消火活動に支障を来さない。
【００２３】
なお、実施例１のコンテナ１においては、スライド扉５を、上方開口部２０を覆う部位から側方開口部２１を覆う部位にかけて湾曲した構成としたが、当該部位が屈曲して断面略Ｌ字形状とした構成でも構わない。また、スライド扉５および飛散防止扉枠４のいずれか一方に多数の透孔６を設けた構成でもよい。また、スライド扉５を、側面開口部２１に対応する位置のみに設け、該スライド扉５を小型軽量化して左右へのスライド作業を容易にする構成としても構わない。
【００２４】
ここに、もしもスライド扉５をスライドさせた開口よりも大きな資源ごみを投入しようとする場合には、前記飛散防止扉枠４を上方へ持ち上げて、上方開口部２０から直接投入すればよい。この際にも、資源ごみを投入するに十分なスペースがあるかどうかを、前記飛散防止扉枠４を持ち上げる以前に前記透孔６から確認することができる。
【００２５】
前記スライド扉５に設けられる透孔６の形状は、特に限定されず、スライド扉５は、パンチングメタルや金網を用いたり、スリットが形成された金属板やプラスチック板を用いたりしてもよい。
【００２６】
前記スライド扉５には把手９が設けられていても、設けられていなくても構わない。
【００２７】
また、前記飛散防止扉枠４の形状も、前記コンテナ扉３と側面開放扉２ａによって形成される開口を閉鎖する形状であれば、上記したような湾曲形状、断面Ｌ字形状以外のものでも構わない。したがって、前記飛散防止扉枠４に配設されるスライド扉５の形状も特に限定されないが、製造が簡単であり、資源ごみを投入するに際してできるだけ手間のかからないようにするために、上記したような、前記飛散防止扉枠４に沿った曲面形状やＬ字形状、または平板形状であることが望ましい。
【００２８】
更に、コンテナ扉３の材料は特に限定されるものではないが、軽量化や防災の観点から不燃シートが配設されることが望ましい。
【００２９】
また更に、前記隔壁７は無くても構わないし複数個設置されても構わない。
【００３０】
（実施例２）
図３には、前記実施例１の資源ごみ収集用コンテナ１を用いた資源ごみ収集用コンテナ管理設備１０が示される。
該資源ごみ収集用コンテナ管理設備１０は、Ｈ型鋼や溝型鋼等の鋼材によって形成される枠体１６を備え、該枠体１６によって前記コンテナ１の周囲が覆われている。
【００３１】
そして図３ａに示すように、コンテナ１の内部には、第１消火装置１１が配設されている。該第１消火装置１１としては、特に限定されないが、外部からのコントロールにより消火を行なうものよりも、例えば熱膨張を利用した自動消火機能を有した消火装置を用いることが、火災が発生した際に即座に消火を行なって延焼を防ぎ、人命を守るという安全面から望ましい。
【００３２】
更にコンテナ１の外部において、第２消火装置１２が前記枠体１６に配設されており、該第２消火装置１２がコンテナ１の上方に配置されている。これにより、図３ｂに示すように、該第２消火装置１２から排出される消火剤が、前記飛散防止扉枠４またはスライド扉５に設けられた透孔６を通してコンテナ１内部に達し、そのために前記飛散防止扉枠４が閉鎖状態であっても、消火活動が効果的に行なわれる。該第２消火装置１２としては、特に限定されないが、前記第１消火装置１１による消火活動によっても防ぐことができない火災に対応するために、消火剤を長時間供給できるスプリンクラー等の消火装置を用いることが、前記資源ごみ収集用コンテナ管理設備１０の外部への延焼を防ぐといった安全面から望ましいものといえる。
【００３３】
さらに本実施例においては該枠体１６に、火災等の異常をより早期に発見するためのセンサー１３、安全面をより一層向上させるための監視カメラ１４、および不審者への警告を行なったり警報を鳴らしたりするためのスピーカー１５が設置される。これらを有した資源ごみ収集用コンテナ管理設備１０は、火災が発生した際の消火活動のみならず、不審者による放火行為や発火性のごみの投入による火災の発生等を遠隔地に居ながら未然に防ぐことができる。更には第１消火装置１１として自動消火機能を有した消火装置を用いた場合、該消火装置が作動したか否かの確認を遠隔地に居ながら即時に行なうこともできる。当然、コンテナ１の移送時期も、遠隔地に居ながらにして即時に察知することができる。
【００３４】
上記資源ごみ収集用コンテナ管理設備１０に用いられる枠体１６の材料としては前記した鋼材に限定されるものではないが、可燃性の資源ごみを収集するコンテナを管理する設備としては不燃性のものを用いることが望ましい。また、該コンテナ１が車両脱着式であることから、前記枠体１６は、該コンテナ１の周囲においてコンテナ脱着装置付きの車両の進入を妨げない構成とすることが望ましい。
【００３５】
また、第１消火装置１１としてコンテナ外部から配管されたスプリンクラーを用いても構わない。
【００３６】
更に第２消火装置１２としては、消火剤が透孔６を通してコンテナ内部に達することができるものであれば、スプリンクラー以外のものを使用しても構わない。
【００３７】
また更に、前記資源ごみ収集用コンテナ管理設備１０に、緊急連絡用の通信端末を設置してもよい。これによって、資源ごみを前記コンテナ１内に投入しようとした際に、前記コンテナ１内部、前記コンテナ本体２、または前記枠体１６に異常が発生していることを資源ごみを投入しようとした者や通行者等が発見した場合、前記通信端末を使ってコンテナ１の回収者にその旨の連絡をすることが可能となる。
【００３８】
ここに、前記通信端末に、警察や消防への連絡手段を付加することもできる。こうすることにより、前記資源ごみ収集用コンテナ管理設備１０に、周辺地域の防犯、防災活動に貢献するという機能を付与することも可能となる。
【符号の説明】
【００３９】
１            資源ごみ収集用コンテナ
２            コンテナ本体
３            コンテナ扉
４            飛散防止扉枠
５            スライド扉
６            透孔
１０          資源ごみ収集用コンテナ管理設備
１１          第１消火装置
１２          第２消火装置
２０          上方開口部
２１          側方開口部
【図１】
0005812718.tif 000002
【図２】
0005812718.tif 000003
【図３】
0005812718.tif 000004